【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
流体の相対的な移動を誘起する装置であって、インペラを有し、前記インペラは、ハブと、前記ハブに支持された近位端と遠位端とを有するブレードと、を備え、
前記インペラは、前記ブレードが前記ハブから離れて延在する展開形態と、前記インペラが半径方向に圧縮され前記ブレードの前記遠位端が前記ハブ側に移動した格納形態とを有し、
前記インペラは、前記格納形態から前記展開形態に自己拡張可能であり、前記インペラの自己拡張が、前記格納形態にある前記インペラに貯えられた歪エネルギーによってなされる、装置。
【請求項２】
拡張可能なスリーブをさらに有し、前記スリーブは、前記拡張形態にある時、実質的に一様な直径を有する円筒形状をなしている、請求項１に記載の装置。
【請求項３】
前記インペラは、流体内の壊れ易い粒子の破壊を最小限に抑えるように設計されている、請求項１または２に記載の装置。
【請求項４】
前記インペラが、前記ブレードを複数備えている、請求項１に記載の装置。
【請求項５】
前記複数のブレードは、１または複数のブレード列に配置されている、請求項４に記載の装置。
【請求項６】
前記スリーブは、前記インペラが前記格納状態において配置される非拡張部分と、前記インペラが前記展開形態において配置される拡張可能部分とを有する、請求項２〜５の何れか一項に記載の装置。
【請求項７】
前記インペラは、前記スリーブに対して軸方向に相対移動されることなく展開形態に移行できるように構成されている、請求項２に記載の装置。
【請求項８】
前記拡張可能なスリーブは、金属またはポリマーのメッシュから構成されている、請求項２に記載の装置。
【請求項９】
前記メッシュは、金属円筒から形成されている、請求項８に記載の装置。
【請求項１０】
前記メッシュは、六角形のセルマトリックスから形成されている、請求項８または９に記載の装置。
【請求項１１】
前記メッシュに弾性被膜が施されている、請求項８〜１０の何れか一項に記載の装置。
【請求項１２】
前記弾性被膜がポリウレタンからなる、請求項１１に記載の装置。
【請求項１３】
前記拡張可能なスリーブは、生体適合性を有する被膜が施されている、請求項２〜１２の何れか一項に記載の装置。
【請求項１４】
前記拡張可能なスリーブは、流れを改良する被膜が施されている、請求項２〜１３の何れか一項に記載の装置。
【請求項１５】
前記スリーブは、展開形態において、長さが２０〜３０ｃｍでありかつ直径が６〜７ｍｍである、請求項２〜１４の何れか一項に記載の装置。
【請求項１６】
前記スリーブは、その遠位端に、流体を流入させるための開口を備えている、請求項１〜１５の何れか一項に記載の装置。
【請求項１７】
前記スリーブは、流体の吐出とガイドワイヤの導入のための開口を備えている、請求項２〜１６の何れか一項に記載の装置。
【請求項１８】
前記スリーブは、流体を吐出するために、中心軸の周りに配置されたベーンを含む区域を有する、請求項２〜１７の何れか一項に記載の装置。
【請求項１９】
前記ベーンは、吐出流から渦巻き速度成分を取除くように配置されている、請求項１８に記載の装置。
【請求項２０】
前記インペラが、単一のインペラ体で構成され、前記インペラ体が前記ハブと前記ブレードとを備えている、請求項１〜１９の何れか一項に記載の装置。
【請求項２１】
第１端と第２端とを有する可撓性シャフトをさらに備え、前記可撓性シャフトの前記第１端は、前記インペラに機械的に連結されており、前記インペラが、前記可撓性シャフの前記第２端に作用するトルクによって回転するように構成されている、請求項１〜２０の何れか一項に記載の装置。
【請求項２２】
前記装置が液体用軸流ポンプである、請求項１〜２１の何れか一項に記載の装置。
【請求項２３】
生体液用の軸流ポンプである、請求項１〜２２の何れか一項に記載の装置。
【請求項２４】
前記複数のブレードは、前記ハブの軸方向に離間された複数のブレード列に配置され、かつ、前記各ブレード列が１つまたは前記ハブ周りに複数のブレードを備えている、請求項５に記載の装置。
【請求項２５】
前記ブレードがポリマーで構成され、前記ポリマーが、運転負荷時において前記展開形態を変形させる第１の弾性率と、前記ブレードを前記格納形態に変形させる第２の弾性率とを有し、前記第１の弾性率が、前記第２の弾性率よりも大きい、請求項１に記載の装置。
【請求項２６】
前記インペラの少なくとも一部が前記スリーブ内に配置され、前記インペラが回転するときに、前記流体が前記スリーブ内を流れるように構成され、かつ、
前記スリーブは、前記インペラが展開形態にある状態で拡張形態となるように構成されている、請求項２に記載の装置。
【請求項２７】
流体の相対的な移動を誘起する装置であって、インペラを有し、前記インペラは、ハブと、前記ハブに取り付けられた近位端を有するブレードと、を備え、
前記インペラは、前記ブレードの前記近位端に隣接して凹みを有し、前記凹みは、前記ブレードの前記近位端の少なくとも一部に沿って細長く延在している、装置。
【請求項２８】
インペラポンプであって、ハブと、前記ハブによって支持され、前記ハブに取り付けられた近位端と遠位端とを有するブレードと、を備え、
前記ブレードは、前記インペラの停止時における展開形態と、前記インペラの停止時における格納形態と、運転形態と、を有し、前記展開形態にある前記ブレードは前記ハブから離れて延在し、前記格納形態にある前記ブレードは前記ブレードの前記遠位端が前記ハブ側に移動するように半径方向に圧縮されており、前記運転形態にある前記ブレードは前記インペラの回転による前記展開形態からの変形によって達成される、インペラポンプ。
【請求項２９】
流体の相対的な移動を誘起する装置であって、インペラを有し、前記インペラは、ハブと、前記ハブによって支持されブレードとを一体に備える本体を有し、前記ブレードは前記ハブに取り付けられた近位端と遠位端とを有し、
前記インペラは、前記ブレードが前記ハブから離れて延在する展開形態と、前記インペラが半径方向に圧縮され前記ブレードの前記遠位端が前記ハブ側に移動した格納形態とを有する、装置。
【請求項３０】
流体の相対的な移動を誘起する装置であって、インペラを有し、前記インペラは、ハブと、前記ハブによって支持され前記ハブの少なくとも一部に巻き付けられた近位端と遠位端とを有する可撓性ブレードと、を備え、
前記インペラは、前記ブレードが前記ハブから離れて延在する展開形態と、前記ブレードが前記ハブに折り畳まれた格納形態とを有する、装置。
【請求項３１】
流体の相対的な移動を誘起する装置であって、インペラを有し、前記インペラは、軸方向に延在するハブと、前記ハブに取り付けられた近位端と遠位端を有するブレードと、を備え、
前記インペラは展開形態と格納形態とを有し、前記展開形態にある前記ブレードは前記ハブから離れて延在し、前記格納形態にある前記ブレードは前記ブレードの前記遠位端が前記ハブ側に移動するように圧縮されており、
前記展開形態にある前記ブレードは、少なくとも毎分１リットルの流体を送出するような医療支援装置として動作可能である、装置。
【請求項３２】
前記展開形態にある前記ブレードは、毎分４リットルまでの流体を送出するように動作可能である、請求項３１に記載の装置。